(57)【要約】【課題】従来とは異なる形式でプラスチックフィルムを延伸させる。【解決手段】プラスチックフィルムがその長さ方向に間欠的に送られる。さらに、延伸部材および受け台がプラスチックフィルムの送り経路に設けられ、プラスチックフィルムの厚さ方向両側に配置され、互いに対向する。そして、プラスチックフィルムが一時的に停止しているとき、プラスチックフィルムの幅方向両側縁間において、延伸部材が受け台に向かって前進し、プラスチックフィルムおよび受け台に押し付けられ、プラスチックフィルムがその長さ方向に延伸される。その後、延伸部材が受け台から後退し、プラスチックフィルムから離れる。【選択図】図４
2010018034.tif 000002
【特許請求の範囲】
【請求項１】
プラスチックフィルムをその長さ方向に間欠的に送るプラスチックフィルム送り機構と、
前記プラスチックフィルムの送り経路に設けられ、前記プラスチックフィルムの厚さ方向両側に配置され、互いに対向する延伸部材および受け台と、
前記プラスチックフィルムが一時的に停止しているとき、前記プラスチックフィルムの幅方向両側縁間において、前記延伸部材を前記受け台に向かって前進させ、前記プラスチックフィルムおよび前記受け台に押し付け、前記プラスチックフィルムをその長さ方向に延伸させ、その後、前記延伸部材を前記受け台から後退させ、前記プラスチックフィルムから離れさせる前進後退駆動機構とを備え、
前記延伸部材は外周エッジを有する複数のころからなり、前記各ころが前記プラスチックフィルムの幅方向に配列され、ビームに取り付けられ、前記外周エッジが受け台に対向し、前記前進後退駆動機構が前記ビームに連結されており、さらに、
前記ビームを前記プラスチックフィルムの幅方向に移動させる補助駆動機構と、
前記前進後退駆動機構および前記補助駆動機構に接続された制御装置とを備え、
前記制御装置によって前記前進後退駆動機構および前記補助駆動機構を制御し、前記プラスチックフィルムの幅方向両側縁間において、前記ビームを前記受け台に向かって前進させ、前記外周エッジを前記プラスチックフィルムに押し付け、押し付けた状態で、前記補助駆動機構によって前記ビームを移動させ、前記各ころを前記プラスチックフィルムの幅方向に転動させ、その後、前記ビームを前記受け台から後退させ、前記外周エッジを前記プラスチックフィルムから離れさせるようにしたことを特徴とするプラスチックフィルム延伸装置。
【請求項２】
前記各ころを一定ピッチをもって配列し、前記ビームを前記ピッチに対応するストロークをもって移動させ、前記各ころを前記ピッチに対応するストロークをもって転動させるようにしたことを特徴とする請求項１に記載の装置。
【請求項３】
前記ビームの後退後、前記ビームをもとの位置に移動させ、その後、前記ビームを再度前進させ、移動させ、後退させるようにしたことを特徴とする請求項２に記載の装置。
【請求項４】
前記プラスチックフィルムが一時的に停止している間、前記ビームを数回にわたって前進させ、移動させ、後退させるようにしたことを特徴とする請求項３に記載の装置。
【請求項５】
複数の前記ころをその軸方向に重ね合わせ、前記ビームに取り付けたことを特徴とする請求項１に記載の装置。
【発明の詳細な説明】
【技術分野】
【０００１】
この発明は、プラスチックフィルムを延伸させるプラスチックフィルム延伸装置に関するものである。
【背景技術】
【０００２】
出願前、出願人はプラスチックフィルムを延伸させ、その印刷ピッチを矯正するプラスチックフィルム延伸装置を開発し、提案した。特開２００３−４８２６０号公報（特許文献１）に記載されているものがそれである。
【０００３】
ところで、同公報の装置では、加熱機構によってプラスチックフィルムが加熱され、延伸するが、プラスチックフィルムはそれに適するとは限らない。したがって、異なる形式でプラスチックフィルムを延伸させることが要望されている。
【０００４】
したがって、この発明は、従来とは異なる形式でプラスチックフィルムを延伸させることを目的としてなされたものである。
【先行技術文献】
【特許文献】
【０００５】
【特許文献１】特開２００３−４８２６０号公報
【発明の概要】
【０００６】
この発明によれば、プラスチックフィルムがその長さ方向に間欠的に送られる。さらに、延伸部材および受け台がプラスチックフィルムの送り経路に設けられ、プラスチックフィルムの厚さ方向両側に配置され、互いに対向する。そして、プラスチックフィルムが一時的に停止しているとき、プラスチックフィルムの幅方向両側縁間において、延伸部材が受け台に向かって前進し、プラスチックフィルムおよび受け台に押し付けられ、プラスチックフィルムがその長さ方向に延伸される。その後、延伸部材が受け台から後退し、プラスチックフィルムから離れる。
【０００７】
さらに、延伸部材は外周エッジを有する複数のころからなる。さらに、各ころがプラスチックフィルムの幅方向に配列され、ビームに取り付けられ、外周エッジが受け台に対向する。そして、プラスチックフィルムの幅方向両側縁間において、ビームが受け台に向かって前進し、外周エッジがプラスチックフィルムに押し付けられ、押し付けられた状態で、ビームがプラスチックフィルムの幅方向に移動し、各ころがプラスチックフィルムの幅方向に転動する。その後、ビームが受け台から後退し、外周エッジがプラスチックフィルムから離れる。
【０００８】
各ころを一定ピッチをもって配列し、ビームをころのピッチに対応するストロークをもって移動させ、各ころをそのピッチに対応するストロークをもって転動させるようにすることが好ましい。
【０００９】
ビームの後退後、ビームをもとの位置に移動させ、その後、ビームを再度前進させ、移動させ、後退させるようにしてもよい。
【００１０】
プラスチックフィルムが一時的に停止している間、ビームを数回にわたって前進させ、移動させ、後退させるようにしてもよい。
【００１１】
複数のころをその軸方向に重ね合わせ、ビームに取り付けてもよい。
【図面の簡単な説明】
【００１２】
【図１】この発明の実施例を示す平面図（ａ）および側面図（ｂ）である。
【図２】参考例を示す斜視図（ａ）、側面図（ｂ）、断面図（ｃ）および説明図（ｄ）である。
【図３】参考例を示す斜視図である。
【図４】図１の延伸装置を示す斜視図（ａ）、側面および正面図（ｂ）および側面図（ｃ）である。
【図５】参考例を示す斜視図（ａ）、説明図（ｂ）および説明図（ｃ）である。
【図６】参考例を示す側面図（ａ）および斜視図（ｂ）である。
【発明を実施するための形態】
【００１３】
以下、この発明の実施例を説明する。
【００１４】
図１はこの発明にかかるプラスチックフィルム延伸装置１を示す。この実施例では、プラスチック袋を製造する製袋機において、２枚のプラスチックフィルム２，３が原反４，５から供給され、アキュムレータ６，７に貯留される。さらに、一方のプラスチックフィルム２がターンバー８，９に導かれ、方向変換され、他方のプラスチックフィルム３の上方に導かれる。さらに、プラスチックフィルム送り機構に送りローラ１０が使用されており、一方のプラスチックフィルム２がダンサローラ１１、マークセンサ１２および延伸装置１を通り、送りローラ１０に導かれ、他方のプラスチックフィルム３がダンサローラ１３を通り、送りローラ１０に導かれる。したがって、各プラスチックフィルム２，３が互いに重ね合わされる。延伸装置１はプラスチックフィルム２をその長さ方向に延伸させるためのものである。
【００１５】
そして、駆動モータによって送りローラ１２が駆動され、プラスチックフィルム２，３がその長さ方向に間欠的に送られる。送り方向Ｘは水平方向である。さらに、ヒートシール装置によって各プラスチックフィルム２，３がヒートシールされ、カッタによってプラスチックフィルム２，３がカットされ、プラスチックフィルム２，３によってプラスチック袋が製造される。
【００１６】
さらに、この実施例では、ダンサローラ１１，１３が作用し、各プラスチックフィルム２，３にテンションが加えられる。さらに、プラスチックフィルム２，３に印刷柄およびマークが施されており、マークセンサ１２によってプラスチックフィルム２，３のマークが検出される。そして、その検出信号に応答し、延伸装置１によって一方のプラスチックフィルム１が延伸される。この結果、各プラスチックフィルム２，３間で印刷柄がずれることはない。
【００１７】
次に、延伸装置１の構成を説明する。まず、図２の参考例について説明すると、この参考例では、延伸装置１はプレート１４からなる延伸部材を有する。さらに、プレート１４および受け台１５がプラスチックフィルム２の送り経路に設けられ、プラスチックフィルム２の厚さ方向両側に配置され、互いに対向する。そして、前進後退駆動機構１７がプレート１４に連結されており、プラスチックフィルム２が一時的に停止しているとき、プラスチックフィルム２の幅方向両側縁間において、前進後退駆動機構１７によってプレート１４が駆動され、プレート１４が受け台１５に向かって前進し、プラスチックフィルム２および受け台１５に押し付けられ、プラスチックフィルム２がその長さ方向に延伸される。その後、プレート１４が受け台１５から後退し、プラスチックフィルム２から離れる。
【００１８】
この参考例では、プレート１４はテーパ状の直線エッジ１６を有し、プラスチックフィルム２の幅方向にのびる。前進後退駆動機構１７はサーボモータおよびリンク機構からなる。そして、直線エッジ１６が受け台１５に対向し、プラスチックフィルム２に垂直の方向Ｚにおいて、プレート１４が受け台１５に向かって前進し、直線エッジ１６がプラスチックフィルム２に押し付けられる。その後、プレート１４が受け台１５から後退し、直線エッジ１６がプラスチックフィルム２から離れる。直線エッジ４は０．５ｍｍ程度の半径の円形状に湾曲している。
【００１９】
したがって、直線エッジ１６がプラスチックフィルム２に押し付けられたとき、プラスチックフィルム２を円滑に延伸させることができる。
【００２０】
さらに、この参考例では、補助駆動機構１８が前進後退駆動機構１７およびプレート１４に連結され、制御装置１９が前進後退駆動機構１７および補助駆動機構１８に接続されている。補助駆動機構１８はプレート１４を微動させるためのもので、プレート１４はプラスチックフィルム２の長さ方向Ｘ’に微動する。そして、制御装置１９によって前進後退駆動機構１７および補助駆動機構１８が制御され、プレート１４の後退後、プレート１４がプラスチックフィルムの長さ方向に微動し、その後、プレート１４が再度前進し、後退する。さらに、この実施例では、プラスチックフィルム２が一時的に停止している間、プレート１４が数回にわたって微動し、前進し、後退する。
【００２１】
この結果、プラスチックフィルム２を効果的に延伸させることができる。
【００２２】
プレート１４が受け台１５に向かって前進するとき、ストッパによってプレート１４が停止するようにしてもよい。
【００２３】
図３の参考例では、前進後退駆動機構に複数のシリンダ２０が使用され、各シリンダ２０がプラスチックフィルム２の幅方向に配列され、プレート１４に連結されており、各シリンダ２０によってプレート１４が前進する。シリンダ２０はエアシリンダまたは電動シリンダである。この参考例では、各シリンダ２０が１００ｍｍ程度のピッチＰをもって配列されている。
【００２４】
したがって、プレート１４を的確に前進させ、直線エッジ１６を的確に押し付けることができる。
【００２５】
そして、図４に示すものがこの発明にかかる延伸装置１である。この延伸装置１では、延伸部材として複数のころ２１が使用されている。ころ２１は円形状縦断面の外周エッジ２２を有する。さらに、各ころ２１がプラスチックフィルム２の幅方向Ｙに配列され、ビーム２３に取り付けられ、回転可能に支持されており、外周エッジ２２が受け台に対向する。さらに、前進後退駆動機構１７がビーム２３に連結されており、制御装置１９が前進後退駆動機構１７および補助駆動機構１８に接続されている。補助駆動機構御１８はビーム２３を移動させるためのもので、ビーム２３はプラスチックフィルム２の幅方向Ｙに移動する。そして、制御装置１９によって前進後退駆動機構１７および補助駆動機構１８が制御され、プラスチックフィルム２の幅方向両側縁間において、ビーム２３が受け台１５に向かって前進し、外周エッジ２２がプラスチックフィルム２に押し付けられ、押し付けられた状態で、ビーム２３がプラスチックフィルム２の幅方向Ｙに移動し、各ころ２１がプラスチックフィルム２の幅方向Ｙに転動する。その後、ビーム２３が受け台１５から後退し、外周エッジ２２がプラスチックフィルム２から離れる。
【００２６】
この実施例では、各ころ２１が３４ｍｍ程度のピッチＰをもって配列されている。そして、ビーム２３がプラスチックフィルム２に垂直の方向Ｚに前進し、ころ２１がプラスチックフィルムに押し付けられる。さらに、押し付けられたとき、プラスチックフィルム３の幅方向Ｙにおいて、ビーム２３が３４ｍｍ程度のストロークＳをもって移動し、ころ２１がプラスチックフィルム２の幅方向Ｙに転動し、ころ２１によってプラスチックフィルム３が延伸される。その後、ころ２１がプラスチックフィルム２から離れ、ビーム２３がプラスチックフィルム２の幅方向Ｙに移動し、もとの位置に復帰し、ころ２１がプラスチックフィルム２に押し付けられ、これが繰り返される。ころ２１は８ｍｍ程度の直径Ｄのもので、０．５ｍｍ程度の厚さＴをもち、外周エッジ２２は０．２５ｍｍ程度の半径の円形状に湾曲している。
【００２７】
ビーム２３をプラスチックフィルム１の長さ方向Ｘ’に微動させ、微動毎に、ビーム２３をプラスチックフィルム２に垂直の方向Ｚに移動させ、ころ２１が複数回押し付けられるようにしてもよい。複数のころ２１をその厚さ方向に重ね合わせ、これをビーム２３に取り付けてもよい。
【００２８】
図５の参考例では、延伸部材は細長いロッド２４を有し、ロッド２４はプラスチックフィルム２の幅方向Ｙにのび、受け台１５に対向する。さらに、複数のローラ２５がプラスチックフィルム２の幅方向に配列され、ビーム２６に取り付けられ、ロッド２４に係合する。そして、プラスチックフィルム２の幅方向両側縁間において、ビーム２６が受け台１５に向かって前進し、各ローラ２５により、ロッド２４がプラスチックフィルム２に押し付けられ、押し付けられた状態で、ビーム２６がプラスチックフィルム２の長さ方向Ｘ’に移動し、各ローラ２５によってロッド２４が案内され、ロッド２４がプラスチックフィルム２の長さ方向Ｘ’に転動する。その後、ビーム２６が受け台１５から後退し、ロッド２４がプラスチックフィルム２から離れる。
【００２９】
ビーム２６がプラスチックフィルム２の長さ方向Ｘ’に微動し、微動毎に、ビーム２６がプラスチックフィルム１に垂直の方向Ｚに移動し、ロッド２４が複数回押し付けられるようにしてもよい。押し付けられたとき、ビーム２６がプラスチックフィルム２の長さ方向Ｘ’に微動し、ロッド２４が押し付けられた状態で転動するようにしてもよい。
【００３０】
図６の参考例では、延伸部材にプレート２７が使用されており、プレート２７は先端に形成された湾曲面２８を有する。さらに、湾曲面２８が受け台１５に対向する。そして、プラスチックフィルム２の幅方向両側縁間において、プレート２７が受け台１５に向かって前進し、湾曲面２８がプラスチックフィルム２に押し付けられ、押し付けられた状態で、プレート２７が湾曲面２８の中心のまわりを揺動し、プラスチックフィルム２の長さ方向に転動する。その後、プレート２７が受け台１５から後退し、湾曲面２８がプラスチックフィルム２から離れる。
【００３１】
プレート２７は耳軸に固定され、耳軸はベアリング２９に取り付けられ、回転可能に支持されている。その回転中心は湾曲面２８の中心に整合する。
【符号の説明】
【００３２】
２  プラスチックフィルム
１５  受け台
１７  前進後退駆動機構
１８  補助駆動機構
１９  制御装置
２１  ころ
２２  外周エッジ
２３  ビーム
【図１】
2010018034.tif 000003
【図２】
2010018034.tif 000004
【図３】
2010018034.tif 000005
【図４】
2010018034.tif 000006
【図５】
2010018034.tif 000007
【図６】
2010018034.tif 000008